(57)【要約】【課題】  不正防止効果を著しく向上させることができるとともに、コストが嵩んでしまうのを抑制することができる遊技機を提供する。【解決手段】  コインの投入によって所定の遊技を開始する遊技機１において、遊技の実行の結果賞が発生したときにコインを払い出す払出手段３と、コインの増減に関連するデータを遊技カードＫに記録するための記録手段４とを備え、当該記録手段４は、コインの投入があった場合に、その投入数分の減算処理を行うとともに、払出手段３からのコインの払出があった場合に、その払出数分の加算処理を行う遊技機１である。【選択図】図１
2005177257.tif 000002
【特許請求の範囲】
【請求項１】
遊技媒体の投入によって所定の遊技を開始する遊技機において、
遊技の実行の結果賞が発生したときに遊技媒体を払い出す払出手段と、
遊技媒体の増減に関連するデータを遊技結果記録媒体に記録するための記録手段と、
を備えたことを特徴とする遊技機。
【請求項２】
前記記録手段は、遊技媒体の投入があった場合に、その投入数分の減算処理を行うとともに、前記払出手段からの遊技媒体の払出があった場合に、その払出数分の加算処理を行うことを特徴とする請求項１記載の遊技機。
【請求項３】
前記記録手段は、遊技媒体貸出手段に接続されるとともに、当該遊技媒体貸出手段により遊技媒体の貸出があった場合に、その貸出数分の加算処理を行うことを特徴とする請求項２記載の遊技機。
【請求項４】
前記記録手段に遊技結果記録媒体をセットしたときに限り、遊技を開始可能とされたことを特徴とする請求項１〜請求項３のいずれか１つに記載の遊技機。
【発明の詳細な説明】
【技術分野】
【０００１】
本発明は、遊技媒体の投入によって遊技を開始するとともに、遊技の実行の結果賞が発生したときに遊技媒体を払い出す払出手段を具備した遊技機に関するものである。
【背景技術】
【０００２】
通常、スロットマシン等の遊技機が設置してある遊技場においては、遊技の結果払い出された遊技媒体を計数機に投入し、その計数された遊技媒体数に応じた景品を得ることができるようになっている。このように遊技媒体は、その数に応じて景品と交換し得るものであるため、中古のコイン等を安く入手して遊技場外から不正に持ち込み、それを当該遊技場における遊技で獲得したかのように装って計数機へ投入する行為や、当該遊技場内において他人が獲得した遊技媒体を盗んで計数機へ投入する行為が発生する事態があった。
【０００３】
従来、例えば特許文献１に開示されているように、各遊技媒体に識別機能を付しておくことにより、遊技場外から遊技媒体を不正に持ち込む不正行為を防止する技術が開示されている。かかる文献には、スロットマシンに投入されるコイン毎に識別情報を蓄積したＩＣチップを具備させておき、その識別情報を送受信することにより遊技場における正規の遊技媒体であるか否かを識別していた。
【特許文献１】特開２００３−５２９０３号公報
【発明の開示】
【発明が解決しようとする課題】
【０００４】
しかしながら、上記従来の遊技機においては、遊技場外から不正に持ち込まれる遊技媒体を排除するには有効であるものの、同一の遊技場において他人の遊技媒体を盗み景品と交換する不正行為に対しては防止するのが不可能であり、不正防止効果に乏しいという問題があった。特に、我国においても公営の賭博場であるカジノについて、近年開設の是非の議論があり、かかるカジノで使用される遊技媒体についての不正防止策も検討されるに至っている。また、膨大な数の遊技媒体のそれぞれにＩＣチップ等を具備させなければならず、コストが嵩んでしまうという問題もあった。
【０００５】
本発明は、このような事情に鑑みてなされたもので、不正防止効果を著しく向上させることができるとともに、コストが嵩んでしまうのを抑制することができる遊技機を提供することにある。
【課題を解決するための手段】
【０００６】
請求項１記載の発明は、遊技媒体の投入によって所定の遊技を開始する遊技機において、遊技の実行の結果賞が発生したときに遊技媒体を払い出す払出手段と、遊技媒体の増減に関連するデータを遊技結果記録媒体に記録するための記録手段とを備えたことを特徴とする。
【０００７】
請求項２記載の発明は、請求項１記載の遊技機において、前記記録手段は、遊技媒体の投入があった場合に、その投入数分の減算処理を行うとともに、前記払出手段からの遊技媒体の払出があった場合に、その払出数分の加算処理を行うことを特徴とする。
【０００８】
請求項３記載の発明は、請求項２記載の遊技機において、前記記録手段は、遊技媒体貸出手段に接続されるとともに、当該遊技媒体貸出手段により遊技媒体の貸出があった場合に、その貸出数分の加算処理を行うことを特徴とする。
【０００９】
請求項４記載の発明は、請求項１〜請求項３のいずれか１つに記載の遊技機において、前記記録手段に遊技結果記録媒体をセットしたときに限り、遊技を開始可能とされたことを特徴とする。
【発明の効果】
【００１０】
請求項１の発明によれば、遊技媒体の増減に関連するデータを記録手段にて遊技結果記録媒体に記録するので、不正防止効果を著しく向上させることができるとともに、コストが嵩んでしまうのを抑制することができる。
【００１１】
請求項２の発明によれば、記録手段が、払出手段に対して遊技媒体の投入があった場合に、その投入数分の減算処理を行うとともに、当該払出手段からの遊技媒体の払出があった場合に、その払出数分の加算処理を行うので、請求項１の発明の効果を確実に奏することができる。
【００１２】
請求項３の発明によれば、記録手段が、遊技媒体の貸出があった場合に、その貸出数分の加算処理を行うので、請求項２の発明の効果を更に確実に奏することができる。
【００１３】
請求項４の発明によれば、記録手段に遊技結果記録媒体をセットしたときに限り遊技を開始可能とされるので、遊技結果記録媒体がなければ遊技できず、不正防止効果を更に向上させることができる。また、記録手段に遊技結果記録媒体をセットせずに遊技を始めることにより、遊技結果の記録がなされなくなってしまうという誤操作も回避することができる。
【発明を実施するための最良の形態】
【００１４】
以下、本発明の実施形態について図面を参照しながら具体的に説明する。
本実施形態に係る遊技機は、パチンコ店などの遊技場に設置されたスロットマシンに適用されたもので、図１に示すように、遊技媒体としてのコインの投入数を計数するための遊技媒体検出手段５と、遊技機１における遊技全般を制御するための遊技制御基板２と、遊技の実行の結果賞が発生したときにコインを払い出す払出手段３と、コインの増減に関連するデータを遊技結果記録媒体としての遊技カードＫに記録するための記録手段４とを具備している。
【００１５】
遊技カードＫは、例えば磁気にて所定情報を記録する磁気記録媒体やＩＣチップが埋め込まれたＩＣカード等から成り遊技者が携帯可能とされたもので、遊技機１の所定位置に形成された記録手段４に挿入することにより、遊技の際に生じたコインの増減情報を書き込み及び読み出し可能とされている。尚、遊技カードＫは、外観形状がカード型のものの他、他の形状の記録媒体としてもよい。
【００１６】
遊技制御基板２と、払出手段３、記録手段４及び遊技媒体検出手段５とは電気的に接続されており、遊技媒体検出手段５による検出情報が投入信号として遊技制御基板２に送信されるとともに、遊技の実行の結果賞が発生して払い出される情報が払出信号として遊技制御基板２から払出手段３に送信されるよう構成されている。投入信号や払出信号が送信された遊技制御基板２では、それらをカウントした後枚数を計算し、投入数情報及び払出数情報としている。
【００１７】
然るに、遊技制御基板２にて生成された投入数情報及び払出数情報は、投入数信号及び払出信号として記録手段４に送信されるよう構成されている。そして、記録手段４は、遊技機１に対してコインの投入があった場合に、その投入数分の減算処理を行うとともに、払出３からのコインの払出があった場合に、その払出数分の加算処理を行うよう構成されている。
【００１８】
即ち、コインの投入をした際には遊技者の手持ちのコイン数（遊技カードＫに記憶された値）から投入数を減算し、払出が行われた際には遊技者の手持ちのコイン数に払出数を加算するので、遊技者が持っているコインの増減と遊技カードＫに記憶された数値（枚数）とが常に一致するようになっている。従って、手持ちのコインの枚数と遊技カードＫに記憶された数値とが一致しない場合は、何らかの不正行為（他店からのコインの持ち込みや他人のコインの盗難）が行われた可能性があると判断することができる。
【００１９】
更に、遊技者に対するコインの貸し出しを行うべく投入金額に応じた枚数のコインを貸出可能な遊技媒体貸出手段６が遊技機１の近傍等に設置されており、当該遊技媒体貸出手段６は遊技機１における記録手段４と電気的に接続されている。そして、遊技媒体貸出手段６により貸し出されたコインの枚数が貸出数信号として記録手段４に送信され、該記録手段４は、その貸出数分の加算処理が行われるよう構成されている。
【００２０】
このように、遊技媒体貸出手段６によりコインの貸出があった場合に、その貸出数分の加算処理が行われるので、貸出により増加したコインの枚数が手持ちのコイン枚数に加算され、遊技者が持っているコイン（貸出により増加したコインを含む）と遊技カードＫに記録された数値とが常に一致するようになっている。従って、遊技機１に対する投入数、及び払出手段３による払出数に加えて、遊技媒体貸出手段６による貸出数をも考慮した値が遊技カードＫに記録される。
【００２１】
次に、上記遊技機１における遊技制御基板２の制御方法について図３のフローチャートに基づいて説明する。
まず、遊技機１における所定の表示手段にて遊技カードＫの挿入待ち表示を行い（Ｓ１）、当該遊技カードＫが記録手段４に挿入されたと判断されると（Ｓ２）、遊技機１としてのスロットマシンの稼働が開始される（Ｓ３）。
【００２２】
その後、同表示手段によりコインの投入待ち表示を行い（Ｓ４）、遊技媒体検出手段５にてコインが投入されたことが確認されると、その枚数分の数値が遊技カードＫに記録されていた数から減算処理され、その結果の数値が遊技カードＫに記録される（Ｓ６）。そして、スロットマシンによるメインゲームが実行され（Ｓ７）、その結果賞が発生したと判断されると（Ｓ８）、当該賞に対応した枚数のコインが払出手段３から払出される（Ｓ９）。
【００２３】
かかる払出手段３による払出が行われると、その払出数が遊技カードＫに記録されていた数に加算処理され、その結果の数値が遊技カードＫに記録された後（Ｓ１０）、Ｓ４に戻ってコイン投入待ち表示が行われる。一方、Ｓ５にてコイン投入がないと判断されると、Ｓ１１に進み、遊技カードＫを記録手段４から排出させるための遊技カード排出ボタン（不図示）がオンしたか否かが判定される。
【００２４】
遊技カード排出ボタンがオンしたと判断されると、当該遊技カードＫが記録手段４から排出され（Ｓ１２）、Ｓ１に戻って遊技カードの挿入待ち表示が行われる一方、Ｓ１２にてオンしたと判断されないと、遊技媒体貸出手段６に対してコインの貸出操作があったか否かが判断される（Ｓ１３）。貸出操作があったと判断されると、該操作に対応した枚数のコインが遊技媒体貸出手段６により貸し出され（Ｓ１４）、その貸出数が遊技カードＫに記録されていた数に加算処理される（Ｓ１５）。
【００２５】
上記一連の制御によれば、遊技者が持っているコインの枚数と遊技カードＫに記録された数値とが常に一致することとなり、後述する計数機にてコインの枚数を計数する際、遊技カードＫに記録された数値を参照することができ、不正行為を抑制するのが容易となる。即ち、遊技カードＫによる情報の記録のみでは、当該カードの不正操作（記録された数値の不正な書き換え等）が行われる可能性があるのに対し、本実施形態によれば、手持ちのコインの枚数と比較することができるので、より不正行為を抑制することができる。
【００２６】
また、上記一連の制御によれば、記録手段４に遊技カードＫを挿入（セット）したときに限り、遊技を開始可能とされるので、不正防止効果を更に向上させることができる。更に、記録手段４に遊技カードＫをセットせずに遊技を始めることにより、遊技結果の記録がなされなくなってしまうという誤操作も回避することができる。また更に、遊技カードＫに加算処理又は減算処理後の数値を記録することにより不正を抑制することができるので、遊技媒体毎（コイン毎）にＩＣチップ等を具備させたものに比べ、コストを低減することができる。
【００２７】
次に、遊技者の持っているコイン数に応じて所定の景品と交換する際に、計数機にてコインの計数が行われる。かかる計数機は、投入された多数のコインを収容可能な収容部の底面に、モータにより回転可能な回転円盤を備えたものから成り、図２に示すように、計数制御基板８と、計数開始スイッチ１０と、表示手段１１と、出力手段１２と、モータ駆動手段１３と、回転円盤１４と、コイン計数用検出スイッチ１５と、遊技結果記録媒体読出手段９とから主に構成されている。
【００２８】
計数制御基板８は、コインの計数動作全般を制御するためのもので、計数開始スイッチ１０の操作があると、モータ駆動手段１３による制御を行わせ、回転円盤１４を回転させるよう構成されている。そして、回転円盤１４の回転により遠心力を生じさせ、１枚毎に移動されたコインをコイン計数用検出スイッチ１５にて検出し、その検出信号を計数制御基板８に送信する一方、検出信号を受信した計数制御基板８は、その検出信号にてカウントされた値をコインの枚数として表示手段１１に表示させる。
【００２９】
遊技結果記録媒体読出手段９は、計数機７の所定の位置に形成されて遊技カードＫを差し込み可能とされたもので、当該遊技カードＫに記録された情報（遊技機１による遊技中及び遊技媒体貸出手段６による貸出時にて加算処理又は減算処理された数値）を読み出し可能とされたものである。読み出された数値は、計数制御基板８に送信され、表示手段１１にて表示された枚数と等しいか否かが判定される。
【００３０】
上記判定の結果、読み出された数値と表示手段１１にて表示された枚数とが一致した場合は、出力手段１２により一致した枚数が印刷された紙等を出力させる一方、一致しない場合は、当該紙を出力せず一致しないことを報知することとなる。尚、報知の代わりに、出力紙に一致しない旨を記録して出力したり、或いは読み出された数値と表示された枚数のうち何れか少ない方の数値を印刷して出力するようにしてもよい。
【００３１】
以上、本実施形態について説明したが、本発明はこれに限定されるものではなく、例えば遊技カードＫに対してコインを獲得した遊技機（スロットマシン）の識別番号も記録することにより、該当する遊技機において実際に払い出されたコイン数との比較をも行うことができ、遊技場外からの不正な持ち込み等の不正行為を更に抑制することができる。また、遊技カードを固有のＩＤが付与されたＩＤカードとし、暗証番号などを同時に入力しなければ遊技機からＩＤカードを抜き取りできないようにすれば、遊技カードの盗難も防止でき、不正防止効果を更に向上させることができる。
【００３２】
また更に、カジノ等に設置された遊技機であれば、固有のＩＤカードの発行時に遊技者の身元の登録などを行うことができ、その遊技者における依存症対策、防犯対策を講じることができ、個人の消費に対する情報も管理することができる等種々の機能を付加することができる。また、本実施形態においてはスロットマシンに適用されているが、これに代えてパチンコ遊技機等他の遊技機に適用することができる。パチンコ遊技機に適用した場合、遊技媒体は遊技球とされ、投入される遊技球数が減算処理され、払出及び貸出の遊技球数が加算処理されることとなる。
【産業上の利用可能性】
【００３３】
遊技の実行の結果賞が発生したときに遊技媒体を払い出す払出手段、及び遊技媒体の増減に関連するデータを遊技結果記録媒体に記録するための記録手段を具備した遊技機であれば、他の種々機能が付加されたものにも適用することができる。
【図面の簡単な説明】
【００３４】
【図１】本発明の実施形態に係る遊技機の構成を示すブロック図
【図２】本発明の実施形態に係る計数機の構成を示すブロック図
【図３】本発明の実施形態に係る遊技機における遊技制御基板の制御方法を示すフローチャート
【符号の説明】
【００３５】
１    遊技機
２    遊技制御基板
３    払出手段
４    記録手段
５    遊技媒体検出手段
６    遊技媒体貸出手段
７    計数機
８    計数制御基板
９    遊技結果記録媒体読出手段
１０  計数開始スイッチ
１１  表示手段
１２  出力手段
１３  モータ駆動手段
１４  回転円盤
１５  コイン計数用検出スイッチ
Ｋ    遊技カード（遊技結果記録媒体）
【図１】
2005177257.tif 000003
【図２】
2005177257.tif 000004
【図３】
2005177257.tif 000005